(57)【特許請求の範囲】
【請求項１】
クライアントに接続されたサーバが実行する入力支援方法であって、
前記クライアントによるグラフィックユーザインターフェースの表示を促すステップと、
前記グラフィックユーザインターフェースのユーザ入力ウインドウに入力された１つ以上の第１の入力タームを受信するステップと、
前記第１の入力タームに関連する１つ以上の第１の出力タームを決定するステップと、
前記クライアントによる前記グラフィックユーザインターフェースの第１の視覚的なクラウドの表示を促すステップであって、前記第１の視覚的なクラウドは前記第１の出力タームを含む、ステップと、
前記第１の入力タームが修正されていることを確認し、１つ以上の第２の入力タームを生成するステップと、
前記第２の入力タームに関連する１つ以上の第２の出力タームを決定するステップと、
前記第２の出力タームを含む第２の視覚的なクラウドの表示を促すステップと
を有し、前記１つ以上の第２の入力タームを生成する前記ステップにおいて、前記１つ以上の第１の出力タームのうち何れかのタームの一部分のクリックにより該タームが前記第２の入力タームに含められること、及び該タームの別の一部分のクリックにより該タームが前記第２の入力タームには含められないことを確認し、１つ以上の前記第２の入力タームを生成する、入力支援方法。
【請求項２】
前記第１の入力タームが修正されていることを確認し、１つ以上の第２の入力タームを生成する前記ステップにおいて、
前記第１の入力タームを修正するようにユーザの操作がなされていることを確認し、前記ユーザの操作は、
タームをクリックすること、
タームをドラッグすること、
タームを入力すること、
タームを修正すること、又は
タームを削除すること
のうちの１つを含む、請求項１記載の入力支援方法。
【請求項３】
前記第１の入力タームが修正されていることを確認し、１つ以上の第２の入力タームを生成する前記ステップにおいて、
タームを追加すること、
タームを削除すること、又は
タームを排除すること
の何れかにより、前記第１の入力タームが修正されていることを確認する、請求項１記載の入力支援方法。
【請求項４】
前記第１の入力タームが修正されていることを確認し、１つ以上の第２の入力タームを生成する前記ステップにおいて、
前記第１の出力タームのうちカーソルで指定されたタームが、追加されるタームとして選択可能であることを示すように、該タームの視覚的特徴を変更する、請求項１記載の入力支援方法。
【請求項５】
前記第１の入力タームが修正されていることを確認し、１つ以上の第２の入力タームを生成する前記ステップにおいて、
前記第１の出力タームのうちカーソルで指定されたタームが、削除されるタームとして選択可能であることを示すように、該タームの視覚的特徴を変更する、請求項１記載の入力支援方法。
【請求項６】
前記第１の入力タームが修正されていることを確認し、１つ以上の第２の入力タームを生成する前記ステップにおいて、
前記第１の出力タームのうちカーソルで指定されたタームが、否定のためのタームとして選択可能であることを示すように、該タームの視覚的特徴を変更する、請求項１記載の入力支援方法。
【請求項７】
前記クライアントによる前記グラフィックユーザインターフェースの第１の視覚的なクラウドの表示を促す前記ステップにおいて、
前記第１の入力タームに対する前記第１の出力タームの関連度を示す視覚的特徴を有する前記第１の出力タームの少なくとも１つの表示を促す、請求項１記載の入力支援方法。
【請求項８】
前記クライアントによる前記グラフィックユーザインターフェースの第１の視覚的なクラウドの表示を促す前記ステップにおいて、
前記第１の視覚的なクラウドに含まれる前記第１の出力ターム各々のサイズは、前記第１の入力タームに対する前記第１の出力ターム各々の関連度を示しかつより大きなサイズはより高い関連度を示す、請求項１記載の入力支援方法。
【請求項９】
前記クライアントによる前記グラフィックユーザインターフェースの第１の視覚的なクラウドの表示を促す前記ステップにおいて、
前記グラフィックユーザインターフェースの特定の領域内にカーソルが入ったことを確認したことに応じて、前記第１の視覚的なクラウドの表示を促す、請求項１記載の入力支援方法。
【請求項１０】
前記クライアントによる前記グラフィックユーザインターフェースの第１の視覚的なクラウドの表示を促す前記ステップにおいて、
前記グラフィックユーザインターフェースの特定の領域外にカーソルが出たことを確認したことに応じて、前記グラフィックユーザインターフェースから前記第１の視覚的なクラウドを消去する、請求項１記載の入力支援方法。
【請求項１１】
検索問い合わせ語句を用意すること、
オブジェクトをタグ付けすること、又は
タームにより参照されるオブジェクトを提案すること
のうちの何れかのために前記第１の視覚的なクラウドが前記クライアントで表示される、請求項１記載の入力支援方法。
【請求項１２】
前記第１の入力タームに関連する１つ以上の第１の出力タームを決定する前記ステップが、
１つ以上のタームの集まりから、ターム間の関連度を示すようにタームが重み付けされた有向グラフを構築するステップと、
前記有向グラフにしたがって、前記第１の入力タームに関連する前記第１の出力タームを決定するステップと
を有する請求項１記載の入力支援方法。
【請求項１３】
前記第１の入力タームに関連する１つ以上の第１の出力タームを決定する前記ステップが、
前記１つ以上の第１の入力タームを含む複数の検索問い合わせ語句を検査するステップと、
より頻度の高い検索問い合わせ語句を選択するステップと、
選択された検索問い合わせ語句の１つ以上の検索タームを関連しているものとして指定するステップと、
関連付けられた検索タームにしたがって、前記第１の入力タームに関する前記第１の出力タームを決定するステップと
を有する請求項１記載の入力支援方法。
【請求項１４】
第１の種類の動きを検出したことに応じて前記グラフィックユーザインターフェースに前記第１の視覚的なクラウドが登場し、第２の種類の動きを検出したことに応じて前記第１の視覚的なクラウドが前記グラフィックユーザインターフェースから消去される、請求項１記載の入力支援方法。
【請求項１５】
クライアントに接続されたサーバに入力支援方法を実行させるコンピュータプログラムであって、前記入力支援方法は、
前記クライアントによるグラフィックユーザインターフェースの表示を促すステップと、
前記グラフィックユーザインターフェースのユーザ入力ウインドウに入力された１つ以上の第１の入力タームを受信するステップと、
前記第１の入力タームに関連する１つ以上の第１の出力タームを決定するステップと、
前記クライアントによる前記グラフィックユーザインターフェースの第１の視覚的なクラウドの表示を促すステップであって、前記第１の視覚的なクラウドは前記第１の出力タームを含む、ステップと、
前記第１の入力タームが修正されていることを確認し、１つ以上の第２の入力タームを生成するステップと、
前記第２の入力タームに関連する１つ以上の第２の出力タームを決定するステップと、
前記第２の出力タームを含む第２の視覚的なクラウドの表示を促すステップと
を有し、前記１つ以上の第２の入力タームを生成する前記ステップにおいて、前記１つ以上の第１の出力タームのうち何れかのタームの一部分のクリックにより該タームが前記第２の入力タームに含められること、及び該タームの別の一部分のクリックにより該タームが前記第２の入力タームには含められないことを確認し、１つ以上の前記第２の入力タームを生成する、コンピュータプログラム。
【請求項１６】
クライアントに接続されたサーバであって、
前記クライアントによるグラフィックユーザインターフェースの表示を促す手段と、
前記グラフィックユーザインターフェースのユーザ入力ウインドウに入力された１つ以上の第１の入力タームを受信する手段と、
前記第１の入力タームに関連する１つ以上の第１の出力タームを決定する手段と、
前記クライアントによる前記グラフィックユーザインターフェースの第１の視覚的なクラウドの表示を促す手段であって、前記第１の視覚的なクラウドは前記第１の出力タームを含む、手段と、
前記第１の入力タームが修正されていることを確認し、１つ以上の第２の入力タームを生成する手段と、
前記第２の入力タームに関連する１つ以上の第２の出力タームを決定する手段と、
前記第２の出力タームを含む第２の視覚的なクラウドの表示を促す手段と
を有し、前記１つ以上の第２の入力タームを生成する前記手段は、前記１つ以上の第１の出力タームのうち何れかのタームの一部分のクリックにより該タームが前記第２の入力タームに含められること、及び該タームの別の一部分のクリックにより該タームが前記第２の入力タームには含められないことを確認し、１つ以上の前記第２の入力タームを生成する、サーバ。
【発明の詳細な説明】
【技術分野】
【０００１】
本発明は一般に辞書編集の分析の技術分野に関連し、特に、1つ以上の入力ターム(term)に関連するタームが含まれるクラウド(cloud)の対話的且つ動的な表示を支援することに関する。
【背景技術】
【０００２】
検索結果を表示する際、グライフィカルユーザインターフェース(GUI)が使用されてもよい。ユーザは、検索の問い合わせ語句(query)をGUIに入力し、GUIはその問い合わせ語句に関する検索結果を表示する。場合によっては、GUIは検索を行うための適切な(語句の)助言を与えないかもしれない。
【発明の概要】
【発明が解決しようとする課題】
【０００３】
本発明の課題は、検索を行うのに適切な語句を示唆することで、入力タームに関連する出力タームを表示する従来方法の欠点及び問題点を解消又は軽減することである。
【課題を解決するための手段】
【０００４】
開示される発明の一形態によれば、用語又はターム(term)の表示を支援することは、グラフィカルユーザインターフェースの表示を支援することを含む。グラフィカルユーザインターフェースのユーザ入力ウインドウに入力された1つ以上の第1入力タームが受信される。第1入力タームに関連する1つ以上第1出力タームが決定される。第1出力タームを含む第1の図式的なクラウド(cloud)の表示が促される。第1入力タームが修正され、1つ以上の第2入力タームを生成する。第2入力タームに関連する1つ以上の第2出力タームが決定される。第2出力タームを含む第2の図式的なクラウドの表示が促される。
【図面の簡単な説明】
【０００５】
【図１】1以上の入力タームに関連するタームが含まれるクラウドの対話的且つ動的な表示を促すために使用されるシステム例を示す図。
【図２】図1のシステムと共に使用されるグラフィカルユーザインターフェース(GUI)の一例を示す図。
【図３】1以上の入力タームに関連するタームが含まれるクラウドの対話的且つ動的な表示を促すために使用される方法例を示すフローチャート。
【図４Ａ】図2に示される方法と共に使用されるGUIの具体例を示す図。
【図４Ｂ】図2に示される方法と共に使用されるGUIの具体例を示す図。
【図４Ｃ】図2に示される方法と共に使用されるGUIの具体例を示す図。
【図４Ｄ】図2に示される方法と共に使用されるGUIの具体例を示す図。
【発明を実施するための形態】
【０００６】
開示される発明の一形態は、1つ以上の技術的恩恵をもたらす。一形態による技術的恩恵は、1つ以上の入力タームに関連する1つ以上の出力タームを、クラウドが示すことである。出力タームは図形的な特徴(フォントサイズ等)を有し、その図形的な特徴は、出力ターム及び入力ターム間の関連度合いを示す。一形態による他の技術的恩恵は、ユーザの操作が、クラウドのタームを更新することである。例えば、ユーザがあるタームを選択し、そのタームを入力タームに加えると、更新された一群の出力タームがクラウド内に表示される。
【０００７】
開示される発明の実施例は、上記の技術的恩恵の全部又は一部を含んでもよいし、全く含まなくてもよい。1つ以上の他の技術的恩恵は、明細書、特許請求の範囲及び図面により、当業者にとってさらに明らかになるであろう。
【０００８】
開示される発明並びにその特徴及び利点の完全な理解をさらに期するため、添付図面と共に以下の詳細な説明を参照する。
【実施例１】
【０００９】
開示される発明の実施例及びその利点は、図1ないし4Dに至る図面を参照することで最良に理解される。図中、同様な及び対応する部分について同様な番号が使用される。
【００１０】
図1は、システム10の一例を示し、そのシステムは、1以上の入力タームに関連するタームが含まれるクラウドの対話的且つ動的な表示を促すために使用される。出力タームは視覚的な特徴(例えば、フォントサイズ等)を有し、その視覚的な特徴(グラフィック特徴)は、出力ターム及び入力ターム間の関連の度合いを示す。
【００１１】
図示の実施例の場合、システム10は、グラフィカルユーザインターフェース(GUI)24を表示するよう構築されたクライアント20と、サーバ26とを有する。サーバ26は、インターフェース(IF)30、論理装置32及びメモリ34を含む。論理装置32は、プロセッサ36及びアプリケーション38を含み、アプリケーションは、関連度エンジン40及びGUI支援部42のような機能モジュールを有する。メモリ34は、ターム44及びアプリケーション38を格納する。
【００１２】
クライアント20は、GUI24を表示するのに適した如何なる装置でもよい。クライアント20は、ディスプレイを備えたコンピュータ、テレビジョン、移動装置(パーソナルディジタルアシスタント又はセルラ電話等)、コンピュータ化されたゴーグル(goggles)、又は他の適切な装置を含んでもよい。
【００１３】
図2は、ユーザ入力フィールド56を含むGUIの一例を示す。GUI24はターム44を含むクラウド50を有し、そのタームは、ユーザ入力フィールド56に入力された1つ以上の入力ターム54に関連する1つ以上の出力タームのようなものである。(GUI上に雲のように浮かぶ)クラウド50のターム44は、入力ターム54の少なくとも一部分を含む。クラウド50のタームは、適切な如何なる順序で並べられてもよく、例えばアルファベット順でもよいし、関連度合いの順でもよい。タームは適切な如何なる視覚的特徴を備えていてもよく、その特徴は、フォント、フォントサイズ、フォントの色、下線、太文字又はイタリック体等の適切な如何なるものでもよい。タームの視覚的な特徴は音(音楽)を含んでもよく、その音は、ターム上にカーソルを動かしたことやタームを選択したことに付随する。
【００１４】
特定の実施例の場合、タームの視覚的特徴は、そのタームの入力ターム54に対する関連度合いを示す。例えば、より大きなフォントサイズは、より高い関連度合いを示す。そのフォントサイズは、何らかの適切な方法で関連度合いから決定されてもよい。一例として、タームの関連度合いのランキング(等級付け)に関する値を正規化し、その値をフォントサイズに変換することで、フォントサイズが算出されてもよい。別の例として、関連度合い毎にタームをランキングし、フォントサイズ各々に、所定数個のタームを割り当てることで、フォントサイズが算出されてもよい。
【００１５】
特定の実施例では、クラウド50は、ユーザがユーザ操作を行うのに使用する1つ以上のグラフィック要素を含み、そのユーザ操作は、入力タームを修正し、その結果、更新された出力タームをクラウド50に表示することになる。グラフィック要素の具体例は、リンク、スライドバー又はラジオボタンを含み、それらはユーザが選択し、スライドさせ、或いはクリックするものである。特定の実施例の場合、クラウド50はハンドルを提供し、出力ターム52からモジュール、ウェブページ、フォーム(書式)、アプリケーションプログラムインターフェース(API)又はアプリケーションにプログラムで移れるようにする。特定の実施例の場合、クラウド50は、企業のウェブサイトのようなウェブサイトに組み込まれたジャバスクリプトや、ウェブブラウザに対するアドオン(add-on)等として実現されてもよい。ジャバスクリプトコード又はウェブブラウザアドオンは、関連するタームを同定するため、インターフェース30を介した関連度エンジン40に対する要求部(call)を含んでもよい。
【００１６】
クラウド50は、検索プロセス、タグ付けプロセス又は提案プロセス等のような適切な如何なるプロセスで使用されてもよい。検索プロセスの場合、クラウド50の出力ターム52は、検索エンジン問い合わせに対する入力として使用されてもよいし、問い合わせインターフェースを提供する他のシステムやアプリケーションに対する入力として使用されてもよい。
【００１７】
タグ付けプロセスの場合、1つ以上の出力ターム52は、タグと共にコンテンツに注釈を付けるのに使用されてもよく、コンテンツは、文書、文書の一部分、画像、ビデオ、オーディオ、ニュースの記事等である。コンテンツにタグを付ける試みが、クラウド50を起動してもよい。コンテンツにタグ付けするためのタームが、クラウド50から選択されてもよい。
【００１８】
提案プロセスの場合、1つ以上の出力ターム52は、アプリケーションを起動するための入力として使用されてもよい。例えば、クラウド50がウェブサイト(又は、ウェブサイトへのリンク)を表示する場合、ユーザはウェブサイトを選択し、そのウェブサイトを開く。クラウド50が歌(又は歌のファイルに至るリンク)を表示する場合、ユーザは歌を選択し、その歌を再生する。GUI24については、サーバ26と共にさらに詳細に説明される。
【００１９】
図1を再び参照するに、ターム44は、それ自身で意味をなす言葉や語句でもよいし、或いはオブジェクト参照渡し(object  by  reference)でもよい。例えば、「木(tree)」が複数の意味における木の概念を表すように、ターム44がそれ自身意味をなしてもよい。オブジェクト参照渡しを表すターム44の具体例は、タイトル(ターム)、内容の要約(ターム)、又は内容を記述する語句(ターム)により表されたウェブページ(オブジェクト)；タイトル(ターム)で表された調理法(オブジェクト)；ユーザ名(ターム)で表されたユーザ(オブジェクト)；タイトル(ターム)で表された歌その他のマルチメディアオブジェクト(オブジェクト)；アーティスト名(ターム)で表されたアーティスト(オブジェクト)；タイトルや作者(ターム)で表された文書(オブジェクト)；及びタイトル(ターム)で表された映画(オブジェクト)等を含む。
【００２０】
図示の例では、システム10はインターフェース30、論理装置32及びメモリ34を含む。インターフェース30は、入力を受信し、出力を送信し、入力及び／又は出力を処理し、及び／又は他の適切な処理を実行する。インターフェース30は、ハードウエア及び／又はソフトウエアにより構築されてもよい。
【００２１】
論理部32はその素子の処理を実行し、例えば、入力から出力を生成する命令を実行する。特定の実施例の場合、論理部32は、GUI24の表示を支援し、且つGUI24のユーザ入力ウインドウ56に入力された入力ターム54を受信し、検索を開始する。論理部32は、入力ターム54に関連する出力ターム52を決定し、GUI24のグラフィック的なクラウド50の表示を促し、そのクラウド50は出力ターム52を含んでいる。
【００２２】
図示の例の場合、論理部32は、プロセッサ36と、GUI支援部42及び関連度エンジン40のようなアプリケーション38とを含む。GUI支援部42は、GUI24の表示を促す。特定の実施例の場合、GUI支援部42は、特定のウェブサイトがクラウド50を表示すべきか否かの命令、及び／又はクラウド50の一般的な外観や様相に関する命令を送信してもよい。
【００２３】
クラウド50は、ポップアップでもよいし、ポップダウンでもよいし、適切な如何なる方法で(登場又は消滅して)もよい。特定の実施例の場合、例えば、ユーザ入力フィールド56又は他の指定された場所にカーソルが移動した場合に、或いはユーザ装置が特定の並進運動及び／又は回転運動した場合に、クラウドがポップアップで登場してもよい。例えば、カーソルがクラウド50又はフィールド56の範囲外に動いた場合、ユーザの不動作が所定の期間続いた場合、ユーザ装置が特定の並進及び/又は回転の運動を行った場合、或いはユーザの操作(閉じるボタン又はアイコンをクリックしたこと等)がなされた等の場合、クラウド50は姿を消してもよいし、徐々に見えなくなってもよい。
【００２４】
特定の実施例では、言葉、リンク等のようなオブジェクトや、文書、アプリケーション又はウェブページ中の他のオブジェクト上に、カーソルが移動した場合(おそらくは、そこに留まっている場合)、クラウド50はポップアップで登場してもよい。本実施例の場合、クラウド50は、プログラムにより第1の入力を受け入れ、オブジェクトに関連する又はオブジェクトから導出された出力ターム52を表示する。出力ターム52は、他のモジュール、ウェブページ、フォーム、API、アプリケーション又は検索エンジン等に送る問い合わせ語句を整えるように選択される。
【００２５】
特定の実施例の場合、クラウド50は対話式に機能し、すなわち、ユーザはクラウド50とやり取りするためのユーザ操作を実行する。ユーザ操作の具体例は、タームをクリックすること、タームをドラッグすること、その他の方法でタームを選択すること、フィールドにタームを入力すること、フィールドのタームを修正すること、フィールドのタームを削除すること等である。ユーザ操作の他の具体例は、所定の方法で(例えば、ユーザ装置を並進及び/又は回転させて)ユーザがユーザ装置を動かすこと、或いはユーザ装置の特定の部分(キーボード、パッドボタン又はソフトキー)をユーザが選択すること等を含む。特定の実施例の場合、カーソルがターム上に動かされた場合、そのタームの視覚的な特徴が変化し(例えば、色が変わり)、特定の処理(例えば、削除)に備えてそのタームが選択されていることを示す。
【００２６】
特定の実施例の場合、クラウド50は動的であり、すなわち、クラウド50はユーザ操作に応じて更新される。例えば、クラウド50は、ターム、タームの視覚的特徴(例えば、フォントサイズ等)又は他の情報を更新する。
【００２７】
特定の実施例の場合、ユーザの操作又は他の動作(例えば、他のアプリケーション、モジュール又はインターフェースによりタームを入力としてクラウドにプログラムで移すこと)に応じて、クラウドの入力ターム54に対して、タームが追加され、削除され、又は排除される。例えば、ユーザの操作は、入力タームが更新されることを引き起こす。入力タームの更新は、関連度エンジン40を呼び出し、更新された出力タームを受信する。そして、クラウド50は、更新された出力タームにより更新される。
【００２８】
特定の実施例の場合、存在する入力ターム54に関連する新たな出力ターム52と共に、クラウド50は更新される。例えば、新たな出力ターム52は、現在の範囲(ドメイン)の中でさらに掘り下げたターム(deeper  terms)を返すことによって特定され、この場合における「掘り下げたターム」は、さらに具体化されたもの、より一般性が少ないもの、及び/又はより普遍性が少ないもの等を意味する。別の例として、新たな出力ターム52は、(例えば、クラウドに関連する一群の所定のドメインのような)異なるドメインに従った関連度を判定することで特定されてもよい。
【００２９】
入力ターム54は、適切な如何なる方法でクラウド50から除外されてもよい。例えば、タームは、フィールドからそのタームを削除することで除外されてもよい。別の例として、タームの上にカーソルを動かし、そのタームの視覚的特徴の変更を生じさせ(例えば、赤色に変更し、或いは取消線のフォントに変更し)、選択された場合そのタームは削除されることを表現し、その後にそれらのタームを選択することで、タームは除外されてもよい。別の例として、ターム上にカーソルを動かし、そのタームをダブルクリックすることで、そのタームが除外されてもよい。
【００３０】
入力ターム54は、適切な如何なる方法で「検索問い合わせ語句」から除外されてもよい。例えば、タームを否定的に問い合わせ語句に加えることで(例えば、「and  not  [ターム]」の形式で加えることで)、そのタームが除外されてもよい。別の例として、視覚的な特徴の変化が生じ(例えば、色が変化したり、音が発生して)、その言葉が否定の状態であることを示し、それらを選択するまで、シングルクリックを維持することで、又は右クリックすることで、そのタームが除外されてもよい。
【００３１】
適切な他のユーザの操作が実行され、特定の応答を形成してもよい。ある実施例の場合、タームの様々な部分をクリックすることで、そのタームの追加又は除外の処理を開始してもよい。例えば、左側をクリックすることで追加処理を開始し、右側をクリックすることで否定処理を開始してもよい(逆でもよい)。ある実施例の場合、クラウド50の様々な領域内のタームをクリックすることで、又は異なるクラウド50内のタームをクリックすることで、タームの追加処理又は除外処理を開始してもよい。例えば、タームを追加するために指定されたクラウド内でタームをクリックすることで、追加処理が開始され、タームを除外するために指定されたクラウド内でタームをクリックすることで、除外処理が開始されてもよい。
【００３２】
特定の実施例では、例えば、GUI24が移動装置に実装される場合、タイプ入力の必要性が少ないユーザ操作が行われるかもしれない。一例として、ユーザ装置の並進、回転及び/又は他の身振り(ジェスチャー)のような動きに基づいて、クラウド50が登場し、消滅し又は更新されてもよい。ある実施例の場合、第1の種類の動きを検出するとクラウド50を登場させ、第2の種類の動きを検出するとクラウド50を消去させる。別の例として、クラウド50は、移動装置を意図した「ブラウザ検出(browser  detect)」により決定されるようなウェブページ内で、クラウド50がイネーブルにされてもよい。別の例として、キーボード、パッドボタン又はソフトキー等が、アプリケーションやブラウザに関してクラウド50をもたらしてもよい。
【００３３】
関連度エンジン40は、ターム間の関連性を決定する。関連度(relatedness)は適切な如何なる方法で決定されてもよい。特定の実施例では、関連度は類似性(affinity)により導出される。以下に例示するように、類似性に関する適切な如何なる定義が使用されてもよい：
1.基本的な類似性
a.  タームA及びB間の基本的な類似性(Basic  Affinity)は、タームA及びB双方を含む状況の起こる回数と、タームA又はBの何れかを含む状況の起こる回数との比率として定義されてもよい：
A(A,B)＝|AB|/|A  or  B|。
【００３４】
同時に起こる同じ状況又は「コンテナ(container)」の中で2つのターム各々が少なくとも1回現れるならば、その2つのタームは同時に生じる(co-occur)。同時に生じる状況の具体例は、文書と段落を含む。以下、コンテナの例及び対応するターム種別の例のリストを示す：
コンテナ又は共時関係
状況(コンテキスト)  ・・・  ターム
ウェブページ  ・・・  ワード又はフレーズ
文書  ・・・  ワード又はフレーズ
調理法  ・・・  料理の材料
ウェブセッション  ・・・  ウェブページ
ユーザがメンバになっている社会  ・・・  社会又は社会的なグループ
ユーザの映画コレクション  ・・・  映画
ユーザの音楽コレクション  ・・・  歌又はアーティスト
b.  タームA及びB間の基本的な類似性は、タームA及びB双方を含む状況の起こる回数と、タームAを含む状況の起こる回数又はタームBを含む状況の起こる回数の内の最大のものとの比率として定義されてもよい：
A(A,B)＝|AB|/max(|A|,|B|)。
【００３５】
2.指向性のある類似性
タームA及びB間の指向性のある類似性(DAff:  Directional  Affinity)は、Aが発見される状況において、Bを発見する条件付き確率として定義されてもよい：
DAff(A,B)＝|AB|/|A|。
【００３６】
すなわち、指向性のある類似性は、タームAを含む状況の起こる回数に対する、タームA及びB双方を含む状況の起こる回数である。一般に、DAff(A,B)はDAff(B,A)と異なる。
【００３７】
3.指向性のある差分類似性
タームA及びB間の指向性のある差分類似性(DiffDAff:  Differential  Directional  Affinity)は、(タームA及びB間の指向性のある類似性)マイナス(言語データベースにおけるタームBの一般性(common-ness)を表すファクタ)として定義される。言語データベースにおけるタームBの一般性は、タームBの言語データベース中の他のタームに対する基本的な類似性又は指向性のある類似性の値に対する或る統計的な値である。特定の実施例の場合、言語データベースにおけるタームBの一般性は、タームBの平均的な類似性(AA)としてもよく、指向性のある差分類似性は次式のように定義される：
DiffDAff＝DA(A,B)−AA(B)。
タームBに関する平均的な類似性(AA)又は指向性のある類似性の平均は、次式で定義されてもよい：
AA(B)＝AVERAGE_x  DAff(x,B)。
【００３８】
すなわち、平均的な類似性は、同時に生じる状況におけるタームBの他のタームに対する指向性のある類似性の平均値としてもよい。
【００３９】
特定の実施例の場合、ターム間の類似性を使用して、タームの重み付けされた有向グラフを構築してもよい。その場合、ターム間の有向エッジの重みは、あるドメイン内におけるそれらのタームの絶対的な又は相対的な近さを表す。1つのコンテナの中の複数タームのつながり(collocation)から、又は複数のコンテナの1つ以上の集まりの中の複数タームのつながりから、グラフが導出されてもよい。例えば、特定の実施例は、特定のドメイン中の文書の集合と、各文書中の言葉又は語句(ターム)のつながりとを利用して、タームの重み付けされた有向グラフを生成し、その重みは、ドメイン中のターム間の近接性を表す。
【００４０】
特定の実施例の場合、ドメインは垂直又はバーティカル(vertical)でもよい。垂直ドメインの具体例は、特定の話題に関連するドメインを含み、特定の話題は、特許、医療情報、財務情報、電気通信、料理等のようなものである。ドメインは1つ以上の特定のメディアタイプを含んでもよい。メディアタイプの具体例は、画像、ビデオ、映画、ニュース、学術論文、広告等を含む。ドメインは、1つ以上の特定のコンテキストを含んでもよい。コンテキストの具体例は、ウェブサイト、文書、コレクション等を含む。ドメインは、1つ以上の特定のユーザに関連してもよい。そのようなドメインの具体例は、ユーザ間の1つ以上のウェブセッション、ユーザ達のナビゲーション履歴、ユーザ達の1つ以上の好み、ユーザ達に関連したデータ(例えば、電子メール)、ユーザ達から1つ以上のサーチエンジンへの1つ以上の問い合わせ語句、及び/又は他のドメインを含む。
【００４１】
関連度は、適切な如何なる方法で決定されてもよい。特定の実施例の場合、関連度は、適切な何らかの計算法に従って決定されてもよい。計算法の具体例は、西暦2009年2月10付けで出願された“Determining  Words  Related  to  a  Given  Set  of  Words”と題する米国特許出願第12/368689号に示されており、その米国出願の内容全体が本願のリファレンスに組み入れられる。タームの近接性を示すタームの重み付けされた有向グラフに、計算は影響する。その計算は、クラウドへの入力として入力タームを利用する。計算の出力は、クラウド50に表示される出力タームとして使用される。特定の実施例の場合、或るドメイン中の可能性のあるタームと、クラウド50内の最近の入力ターム54の少なくとも一部分との関連度を算出し、入力ターム54に対して最高の関連度を伴うタームを返すことで、関連度が決定されてもよい。
【００４２】
特定の実施例の場合、出力ターム54は、ユーザの検索問い合わせ語句から決定されてもよい。一実施例では、関連するタームと共に問い合わせ語句が決定される。入力ターム54を含む問い合わせ語句は、例えば、その使用頻度の減る順によりランキングされ、照合されてもよい。所定数の最上位にランキングされた問い合わせ語句が、関連するタームの問い合わせ語句として選択されてもよい。
【００４３】
特定の実施例の場合、ある特定のドメイン又はいくつかのドメインの組み合わせに関するタームの関連度は、検索、タグ付け又は提案のプロセスを、そのドメイン又はドメインの組み合わせに限定しない。例えば、調合薬の特許のドメインに関して関連度が定義されているが、そのタームは、ニュースの話題のドメインにおける検索プロセスに使用されてもよい。
【００４４】
論理装置32は、ハードウエア、ソフトウエア及び/又は他の論理装置を含んでもよい。論理装置32は、1つ以上の触知可能な媒体にエンコードされ、コンピュータで実行される際に処理を実行する。プロセッサ36のような論理装置32は、構成要素の動作を管理してもよい。プロセッサ36の具体例は、1つ以上のコンピュータ、1つ以上のマイクロプロセッサ、1つ以上のアプリケーション、及び/又は他の論理装置を含む。
【００４５】
特定の実施例の場合、コンピュータプログラム、ソフトウエア、コンピュータ実行命令、及び/又はコンピュータにより実行可能な命令と共にエンコードされた1つ以上のコンピュータ読取可能な媒体により、本実施例の動作が実行されてもよい。特定の実施例の場合、実施例の動作は1つ以上のコンピュータ読取可能な媒体により実行され、その媒体は、コンピュータプログラムを格納し、コンピュータプログラムを組み込み、及び/又はコンピュータプログラムと共にエンコードされ、及び/又は、格納及び/又はエンコードされたコンピュータプログラムを有する。
【００４６】
メモリは情報を格納する。メモリは、1つ以上の触知可能な、コンピュータで読取可能な、及び/又はコンピュータで実行可能な記憶媒体を含んでもよい。メモリの具体例は、コンピュータメモリ(例えば、ランダムアクセスメモリ(RAM)又はリードオンリメモリ(ROM))、大容量ストレージ媒体(例えば、ハードディスク)、取り外し可能なストレージ媒体(例えば、コンピュータディスク(CD)又はディジタルビデオディスク(DVD))、データベース及び/又はネットワークストレージ(例えば、サーバ)、及び/又は他のコンピュータ読取可能な媒体等を含む。
【００４７】
本発明の範囲から逸脱せずに、修正、付加又は省略等がシステム10に対してなされてもよい。システム10の構成要素は統合されてもよいし、分散されてもよい。さらに、システム10の処理は、より多くの、より少数の又は他の構成要素により実行されてもよい。さらに、システム10の処理は、適切な如何なる論理装置を用いて実行されてもよく、その論理装置は、ソフトウエア、ハードウエア及び／又は他の論理装置を含んでもよい。本願で使用されているように、「各」は、或る集合中の各メンバ、又は或る集合の部分集合中の各メンバを指す。
【００４８】
図3は、1以上の入力ターム54に関連するタームが含まれるクラウド50を、対話的且つ動的に表示することを促すために使用される方法例を示す。この例は図4Aないし4Dに記述されている。
【００４９】
本方法はステップ11から始まり、GUI支援部42がクライアント20におけるGUI24の表示を支援する(図4A)。GUI24は、ユーザ入力フィールド56及び空の(中身のない)クラウド50を含む。クラウド50は、カーソルがユーザ入力フィールド56上に動かされた場合に登場してもよい。1つ以上の入力ターム54が、ステップ114にて受信される(図4B)。入力ターム54は、ユーザが検索ターム各々をタイプ入力することで受信されてもよい。図示の例では、「broadband」(ブロードバンド)が入力されている。ステップ118では、入力ターム54に関連する出力ターム52が決定される。
【００５０】
ステップ122において、クラウド50の出力ターム52の表示が促される(図4C)。クラウド50は、出力ターム52を、追加的な検索タームの示唆として表示してもよい。出力ターム52は、ユーザがそれらの検索タームをタイプ入力したかのように現れる。出力ターム52は或るフォントサイズを有し、そのフォントサイズは、入力ターム54に対する出力ターム52の関連度を示す。
【００５１】
ステップ126において、入力ターム54は変わるかもしれない(図4D)。例えば、ユーザは、出力ターム52をクリックし、検索問い合わせ語句にその出力ターム52を加えてもよいし、或いは検索問い合わせ語句からその出力ターム52を除外してもよい。入力ターム54が変わる毎に、クラウド50の出力ターム52は更新される。この例の場合、「multiplexing」及び「optical」が「broadband」に追加され、異なる出力ターム52を生成している。入力ターム54が変わると、本方法はステップ114に戻る。ステップ126において、入力ターム54が変わらなかった場合、本方法はステップ130に進む。
【００５２】
ステップ130では、検索(問い合わせ)が実行される。例えば、検索ボタンを押すことにより送信された明示的な実行要求に応じて、問い合わせが実行されてもよい。別の実施例の場合、タームが問い合わせ語句に追加された場合、問い合わせが自動的に実行されてもよい。ステップ132において、検索結果が表示される。検索結果58は、同一ページにおけるクラウド50の近辺に表示されてもよい。
【００５３】
本発明の範囲から逸脱することなく、修正、付加又は省略が本方法に対してなされてもよい。本方法は、より多くの、より少数の又は他のステップを含んでもよい。さらに、各ステップは適切な如何なる順序で行われてもよい。
【００５４】
本願は或る実施例の観点から説明されてきたが、実施例の代替例や置換例は当業者にとって明らかであろう。したがって、上記の実施例の説明は本願を限定するものではない。添付の特許請求の範囲に記載されているような本願の精神及び範囲から逸脱することなく、他の変形例、置換例及び代替例も可能である。
【００５５】
＜関連出願＞
本願は35U.S.C§119(e)に基づいて西暦2008年4月11日付けで出願されたヤニスラブロウ等(Yannis  Labrou  et  al.)による“An  Interactive  and  Dynamic  Cloud  of  Terms  Related  to  an  Input  of  One  or  More  Terms”と題する米国仮出願番号第61/124,018号の利益を享受し、その内容全体は本願のリファレンスに組み入れられる。
【００５６】
以下、開示される発明に関する様々な形態を例示的に列挙する。
【００５７】
(付記1)
グラフィックユーザインターフェースの表示を促すステップと、
前記グラフィックユーザインターフェースのユーザ入力ウインドウに入力された、1つ以上の第1の入力タームを受信するステップと、
前記第1の入力タームに関連する1つ以上の第1の出力タームを決定するステップと、
前記グラフィックユーザインターフェースの第1の視覚的なクラウドの表示を促すステップであって、前記第1の視覚的なクラウドは、前記第1の出力タームを含む、ステップと、
前記第1の入力タームが修正されていることを確認し、1つ以上の第2の入力タームを生成するステップと、
前記第2の入力タームに関連する1つ以上の第2の出力タームを決定するステップと、
前記第2の出力タームを有する第2の視覚的なクラウドの表示を促すステップと
を有する方法。
【００５８】
(付記2)
前記第1の入力タームが修正されていることを確認する前記ステップが、
前記第1の入力タームを修正するようにユーザの操作がなされていることを確認するステップを有し、前記ユーザの操作は、
タームをクリックすること、
タームをドラッグすること、
タームを入力すること、
タームを修正すること、又は
タームを削除すること
の内の1つを含む、付記1記載の方法。
【００５９】
(付記3)
前記第1の入力タームが修正されていることを確認する前記ステップは、
タームを追加すること、
タームを削除すること、又は
タームを排除すること
を含む群の内の何れかの方法により、前記第1の入力タームが修正されていることを確認するステップを有する、付記1記載の方法。
【００６０】
(付記4)
カーソルが出力ターム上に動いたことを確認するステップと、
追加する入力タームとしてタームが選択可能であることを示すように、タームの視覚的特徴を変更するステップと
をさらに有する付記1記載の方法。
【００６１】
(付記5)
カーソルが入力ターム上に動いたことを確認するステップと、
入力タームから削除するタームを選択可能であることを示すように、タームの視覚的特徴を変更するステップと
をさらに有する付記1記載の方法。
【００６２】
(付記6)
カーソルがターム上に動いたことを確認するステップと、
否定のためのタームが選択可能であることを示すように、タームの特徴を変更するステップと
をさらに有する付記1記載の方法。
【００６３】
(付記7)
第1の視覚的なクラウドの表示を促す前記ステップが、
視覚的特徴を有する少なくとも1つの出力タームの表示を促すステップ
をさらに有し、前記視覚的特徴は、前記入力タームに対する前記出力タームの関連度を示す、付記1記載の方法。
【００６４】
(付記8)
第1の視覚的なクラウドの表示を促す前記ステップが、
前記出力タームの表示を促すステップをさらに有し、
出力ターム各々は或るサイズを有し、該サイズは、前記入力タームに対する前記出力ターム各々の関連度を示し、より大きなサイズはより高い関連度を示す、付記1記載の方法。
(付記9)
第1の視覚的なクラウドの表示を促す前記ステップは、
前記グラフィックユーザインターフェースの特定の領域内にカーソルが入ったことを確認するステップと、
該確認に応じて前記クラウドの表示を促すステップと
をさらに有する付記1記載の方法。
【００６５】
(付記10)
第1の視覚的なクラウドの表示を促す前記ステップは、
前記グラフィックユーザインターフェースの特定の領域外にカーソルが出たことを確認するステップと、
該確認に応じて、前記グラフィックユーザインターフェースから前記クラウドを消去するステップと
をさらに有する付記1記載の方法。
【００６６】
(付記11)
検索問い合わせ語句を用意すること、
オブジェクトをタグ付けすること、又は
タームにより参照されるオブジェクトを提案すること
の内の何れかのために前記クラウドを利用するステップ
をさらに有する付記1記載の方法。
【００６７】
(付記12)
前記第1の入力タームに関連する1つ以上の第1の出力タームを決定する前記ステップが、
1つ以上のタームの集まりから、タームの重み付けされた有向グラフを構築するステップであって、前記重み付けされた有向グラフの1つ以上のエッジは、ターム間の関連度を示す、ステップと、
前記タームの重み付けされた有向グラフにしたがって、前記入力タームに関連する前記出力タームを決定するステップと
をさらに有する付記1記載の方法。
【００６８】
(付記13)
前記第1の入力タームに関連する1つ以上の第1の出力タームを決定する前記ステップが、
前記1つ以上の第1の入力タームを有する複数の検索問い合わせ語句を検査するステップと、
より頻度の高い検索問い合わせ語句を選択するステップと、
選択された問い合わせ語句の1つ以上の検索タームを関連しているものとして指定するステップと、
関連付けられた検索タームにしたがって、前記入力タームに関する前記出力タームを決定するステップと
をさらに有する付記1記載の方法。
【００６９】
(付記14)
前記入力ターム又は前記出力タームは、
用語、
ウェブページを表すタイトル、
ウェブページの要約、
料理法のタイトル、
ユーザのユーザ名、
ウェブページの記述、
マルチメディアオブジェクトのタイトル、
アーティスト名、
文書のタイトル、
文書の作者、又は
映画のタイトル
のタイプの内の少なくとも1つのタームを含む、付記1記載の方法。
【００７０】
(付記15)
第1の種類の動きを検出したことに応じて、前記クラウドを登場させるステップと、
第2の種類の動きを検出したことに応じて、前記クラウドを消去するステップと
をさらに有する付記1記載の方法。
【００７１】
(付記16)
前記第1の入力タームに関連する1つ以上の第1の出力タームを決定する前記ステップが、
1つ以上のドメインに対する前記第1の入力タームが関連する1つ以上の第1の出力タームを決定するステップをさらに有し、前記1つ以上のドメインに属するドメインは、
特許ドメイン、
医療ドメイン、
財務ドメイン、
電気通信ドメイン、
調理ドメイン
画像ドメイン、
ビデオドメイン、
映画ドメイン、
ニュースドメイン、
科学論文ドメイン、
広告ドメイン、
ウェブサイトドメイン、
文書ドメイン、
コレクションドメイン、
ユーザウェブセッションドメイン、
ユーザナビゲーション履歴ドメイン、
ユーザ問い合わせドメイン、
ユーザの好みのドメイン、及び
ユーザデータドメイン
を含むドメインから選択される、付記1記載の方法。
【００７２】
(付記17)
前記グラフィックユーザインターフェースは、
コンピュータ、
テレビジョン、
移動装置、及び
コンピュータ化されたゴーグル
を含む群から選択された装置により表示される、付記1記載の方法。
【００７３】
(付記18)
コンピュータに或る方法を実行させるプログラムを格納するコンピュータ読取可能な記憶媒体であって、前記方法は、
グラフィックユーザインターフェースの表示を促すステップと、
前記グラフィックユーザインターフェースのユーザ入力ウインドウに入力された、1つ以上の第1の入力タームを受信するステップと、
前記第1の入力タームに関連する1つ以上の第1の出力タームを決定するステップと、
前記グラフィックユーザインターフェースの第1の視覚的なクラウドの表示を促すステップであって、前記第1の視覚的なクラウドは、前記第1の出力タームを含む、ステップと、
前記第1の入力タームが修正されていることを確認し、1つ以上の第2の入力タームを生成するステップと、
前記第2の入力タームに関連する1つ以上の第2の出力タームを決定するステップと、
前記第2の出力タームを有する第2の視覚的なクラウドの表示を促すステップと
を有する記憶媒体。
【００７４】
(付記19)
前記第1の入力タームが修正されていることを確認する前記ステップが、
前記第1の入力タームを修正するようにユーザの操作がなされていることを確認するステップを有し、前記ユーザの操作は、
タームをクリックすること、
タームをドラッグすること、
タームを入力すること、
タームを修正すること、又は
タームを削除すること
の内の1つを含む、付記18記載の記憶媒体。
【００７５】
(付記20)
前記第1の入力タームが修正されていることを確認する前記ステップは、
タームを追加すること、
タームを削除すること、又は
タームを排除すること
を含む群の内の何れかの記憶媒体により、前記第1の入力タームが修正されていることを確認するステップを有する、付記18記載の記憶媒体。
【００７６】
(付記21)
カーソルが出力ターム上に動いたことを確認するステップと、
追加する入力タームとしてタームが選択可能であることを示すように、タームの視覚的特徴を変更するステップと
を前記方法がさらに有する、付記18記載の記憶媒体。
【００７７】
(付記22)
カーソルが入力ターム上に動いたことを確認するステップと、
入力タームから削除するタームを選択可能であることを示すように、タームの視覚的特徴を変更するステップと
を前記方法がさらに有する、付記18記載の記憶媒体。
【００７８】
(付記23)
カーソルがターム上に動いたことを確認するステップと、
否定のためのタームが選択可能であることを示すように、タームの特徴を変更するステップと
を前記方法がさらに有する、付記18記載の記憶媒体。
【００７９】
(付記24)
第1の視覚的なクラウドの表示を促す前記ステップが、
視覚的特徴を有する少なくとも1つの出力タームの表示を促すステップ
をさらに有し、前記視覚的特徴は、前記入力タームに対する前記出力タームの関連度を示す、付記18記載の記憶媒体。
【００８０】
(付記25)
第1の視覚的なクラウドの表示を促す前記ステップが、
前記出力タームの表示を促すステップをさらに有し、
出力ターム各々は或るサイズを有し、該サイズは、前記入力タームに対する前記出力ターム各々の関連度を示し、より大きなサイズはより高い関連度を示す、付記18記載の記憶媒体。
【００８１】
(付記26)
第1の視覚的なクラウドの表示を促す前記ステップは、
前記グラフィックユーザインターフェースの特定の領域内にカーソルが入ったことを確認するステップと、
該確認に応じて前記クラウドの表示を促すステップと
をさらに有する付記18記載の記憶媒体。
【００８２】
(付記27)
第1の視覚的なクラウドの表示を促す前記ステップは、
前記グラフィックユーザインターフェースの特定の領域外にカーソルが出たことを確認するステップと、
該確認に応じて、前記グラフィックユーザインターフェースから前記クラウドを消去するステップと
をさらに有する付記18記載の記憶媒体。
【００８３】
(付記28)
検索問い合わせ語句を用意すること、
オブジェクトをタグ付けすること、又は
タームにより参照されるオブジェクトを提案すること
の内の何れかのために前記クラウドを利用するステップ
を前記方法がさらに有する、付記18記載の記憶媒体。
【００８４】
(付記29)
前記第1の入力タームに関連する1つ以上の第1の出力タームを決定する前記ステップが、
1つ以上のタームの集まりから、タームの重み付けされた有向グラフを構築するステップであって、前記重み付けされた有向グラフの1つ以上のエッジは、ターム間の関連度を示す、ステップと、
前記タームの重み付けされた有向グラフにしたがって、前記入力タームに関連する前記出力タームを決定するステップと
をさらに有する付記18記載の記憶媒体。
【００８５】
(付記30)
前記第1の入力タームに関連する1つ以上の第1の出力タームを決定する前記ステップが、
前記1つ以上の第1の入力タームを有する複数の検索問い合わせ語句を検査するステップと、
より頻度の高い検索問い合わせ語句を選択するステップと、
選択された問い合わせ語句の1つ以上の検索タームを関連しているものとして指定するステップと、
関連付けられた検索タームにしたがって、前記入力タームに関する前記出力タームを決定するステップと
をさらに有する付記18記載の記憶媒体。
【００８６】
(付記31)
前記入力ターム又は前記出力タームは、
用語、
ウェブページを表すタイトル、
ウェブページの要約、
料理法のタイトル、
ユーザのユーザ名、
ウェブページの記述、
マルチメディアオブジェクトのタイトル、
アーティスト名、
文書のタイトル、
文書の作者、又は
映画のタイトル
のタイプの内の少なくとも1つのタームを含む、付記18記載の記憶媒体。
【００８７】
(付記32)
第1の種類の動きを検出したことに応じて、前記クラウドを登場させるステップと、
第2の種類の動きを検出したことに応じて、前記クラウドを消去するステップと
を前記方法がさらに有する、付記18記載の記憶媒体。
【００８８】
(付記33)
前記第1の入力タームに関連する1つ以上の第1の出力タームを決定する前記ステップが、
1つ以上のドメインに対する前記第1の入力タームが関連する1つ以上の第1の出力タームを決定するステップをさらに有し、前記1つ以上のドメインに属するドメインは、
特許ドメイン、
医療ドメイン、
財務ドメイン、
電気通信ドメイン、
調理ドメイン
画像ドメイン、
ビデオドメイン、
映画ドメイン、
ニュースドメイン、
科学論文ドメイン、
広告ドメイン、
ウェブサイトドメイン、
文書ドメイン、
コレクションドメイン、
ユーザウェブセッションドメイン、
ユーザナビゲーション履歴ドメイン、
ユーザ問い合わせドメイン、
ユーザの好みのドメイン、及び
ユーザデータドメイン
を含むドメインから選択される、付記18記載の記憶媒体。
【００８９】
(付記34)
前記グラフィックユーザインターフェースは、
コンピュータ、
テレビジョン、
移動装置、及び
コンピュータ化されたゴーグル
を含む群から選択された装置により表示される、付記18記載の記憶媒体。
【符号の説明】
【００９０】
10  システム
20  クライアント
24  グラフィカルユーザインターフェース(GUI)
26  サーバ
30  インターフェース(IF)
32  論理装置
34  メモリ
36  プロセッサ
38  アプリケーション
40  関連度エンジン
42  GUI支援部
44  ターム
【図１】
0005556050.tif 000002
【図２】
0005556050.tif 000003
【図３】
0005556050.tif 000004
【図４Ａ】
0005556050.tif 000005
【図４Ｂ】
0005556050.tif 000006
【図４Ｃ】
0005556050.tif 000007
【図４Ｄ】
0005556050.tif 000008